(57)【要約】【課題】定着部における記録材の通紙がされない部位を効率的に冷却することができる画像形成装置を提供する。【解決手段】加熱ローラ３２及び加圧ローラ３１を有する定着装置３０と、定着装置３０に対向するように加熱ローラ３２のローラ軸方向Ｍの端部側に配置され、定着装置３０に向かって送風するファン６１と、ファン６１よりも送風方向Ｎの上流に配置され、送風方向Ｎの上流から下流に向かうに従ってローラ軸方向Ｍの中央部から端部へと向かう傾斜面６４Ｘ、６５Ｘを形成可能で、傾斜面６４Ｘ、６５Ｘの角度を変更可能なファン扉６４、６５と、定着装置３０よりも送風方向Ｎの下流に配置されて、ファン６１が送風する風を排気する排気開口部３７と、ファン６１及びファン扉６４、６５の駆動を制御するコントローラ５１と、を備える画像形成装置１００を構成した。【選択図】  図６
2016004162.tif 000002
【特許請求の範囲】
【請求項１】
熱源を有する加熱ローラ、及び、前記加熱ローラに対して加圧する加圧ローラを有し、記録材の表面に現像剤を定着させる定着部と、
前記定着部に対向するように前記加熱ローラのローラ軸方向の端部側に配置され、前記定着部に向かって送風するファンと、
前記ファンよりも送風方向の上流に配置され、送風方向の上流から下流に向かうに従って前記ローラ軸方向の中央部から端部へと向かう傾斜面を形成可能で、前記傾斜面の角度を変更可能なファン扉と、
前記定着部よりも送風方向の下流に配置されて、前記ファンが送風する風を排気する排気開口部と、
前記ファン及び前記ファン扉の駆動を制御するコントローラと、
を備えることを特徴とする画像形成装置。
【請求項２】
前記コントローラは、転写材の前記ローラ軸方向のサイズが小さくなる程に、前記ローラ軸方向に対する前記ファン扉の角度が鈍角になるように、前記ファン扉の駆動を制御することを特徴とする請求項１に記載の画像形成装置。
【請求項３】
前記コントローラは、転写材の前記ローラ軸方向のサイズが大きくなる程に、前記ローラ軸方向に対する前記ファン扉の角度が鋭角になるように、前記ファン扉の駆動を制御することを特徴とする請求項１又は請求項２に記載の画像形成装置。
【請求項４】
前記コントローラは、前記ローラ軸方向に対する前記ファン扉の角度が鈍角になるに従って、前記排気開口部を前記ローラ軸方向の端部から中央部へと移動させることを特徴とする請求項２に記載の画像形成装置。
【請求項５】
前記コントローラは、前記ローラ軸方向に対する前記ファン扉の角度が鋭角になるに従って、前記排気開口部を前記ローラ軸方向の中央部から端部へと移動させることを特徴とする請求項３に記載の画像形成装置。
【請求項６】
前記ファンは、前記加圧ローラのローラ軸から前記加熱ローラのローラ軸へと延長される延長面上に配置されることを特徴とする請求項１乃至請求項５のいずれか１項に記載の画像形成装置。
【請求項７】
熱源を有する加熱ローラ、及び、前記加熱ローラに対して加圧する加圧ローラを有し、記録材の表面に現像剤を定着させる定着部と、
前記定着部に対向するように前記加熱ローラのローラ軸方向の端部側に配置され、前記定着部に向かって送風するファンと、
前記定着部と前記ファンとの間に配置され、前記ファンから送風された風を給気する吸気開口部と、
前記ローラ軸方向で中央部から端部へと移動することで前記吸気開口部を縮小し、前記ローラ軸方向で端部から中央部へと移動することで前記吸気開口部を拡大する吸気シャッタと、
前記定着部よりも送風方向の下流に配置されて、前記ファンが送風する風を排気する排気開口部と、
前記ファン及び前記吸気シャッタの駆動を制御するコントローラと、
を備えることを特徴とする画像形成装置。
【請求項８】
前記コントローラは、転写材の前記ローラ軸方向のサイズが小さくなる程に、前記吸気シャッタが前記ローラ軸方向の端部から中央部へと移動するように、前記吸気シャッタの駆動を制御することを特徴とする請求項７に記載の画像形成装置。
【請求項９】
前記コントローラは、転写材の前記ローラ軸方向のサイズが大きくなる程に、前記吸気シャッタが前記ローラ軸方向の中央部から端部へと移動するように、前記吸気シャッタの駆動を制御することを特徴とする請求項７又は請求項８に記載の画像形成装置。
【請求項１０】
前記コントローラは、前記吸気シャッタが前記ローラ軸方向の端部から中央部へと移動するに従って、前記排気開口部を前記ローラ軸方向の端部から中央部へと移動させることを特徴とする請求項８に記載の画像形成装置。
【請求項１１】
前記コントローラは、前記吸気シャッタが前記ローラ軸方向の中央部から端部へと移動するに従って、前記排気開口部を前記ローラ軸方向の中央部から端部へと移動させることを特徴とする請求項９に記載の画像形成装置。
【請求項１２】
前記排気開口部は、前記吸気開口部の最小の開口量と略同じ開口量であることを特徴とする請求項７乃至請求項１１のいずれか１項に記載の画像形成装置。
【請求項１３】
前記ファンは、前記加圧ローラのローラ軸から前記加熱ローラのローラ軸へと延長される延長面上に配置されることを特徴とする請求項７乃至請求項１２のいずれか１項に記載の画像形成装置。
【発明の詳細な説明】
【技術分野】
【０００１】
本発明は、定着装置を冷却する冷却機構を有する画像形成装置に関する。
【背景技術】
【０００２】
特許文献１には、定着装置に冷却ファンを設けて、転写材幅方向で最大サイズの転写材よりも小さい転写材が定着ローラと加圧ローラとの間を通過するときに、その定着ローラと加圧ローラとの間の非通紙部に送風して冷却する画像形成装置が開示される。また、その冷却ファンの送風口の幅方向の長さを調節することで、異なったサイズの転写材が通過するときの非通紙部の昇温が防止される。
【先行技術文献】
【特許文献】
【０００３】
【特許文献１】特開２００３−０７６２０９号公報
【発明の概要】
【発明が解決しようとする課題】
【０００４】
しかしながら、特許文献１に記載の発明では、定着装置に送風される風は指向性が弱く、また、風を排気する排気口がない。このために、冷却ファンの送風は、非通紙部を冷却するのみならず、通紙部へと分流して通紙部を冷却してしまう問題が生じ得る。
【０００５】
本発明は、上記実情に鑑み、定着部における記録材の通紙がされない部位を効率的に冷却することができる画像形成装置を提供することを目的とする。
【課題を解決するための手段】
【０００６】
上記目的を達成するために、本発明の画像形成装置は、熱源を有する加熱ローラ、及び、前記加熱ローラに対して加圧する加圧ローラを有し、記録材の表面に現像剤を定着させる定着部と、前記定着部に対向するように前記加熱ローラのローラ軸方向の端部側に配置され、前記定着部に向かって送風するファンと、前記ファンよりも送風方向の上流に配置され、送風方向の上流から下流に向かうに従って前記ローラ軸方向の中央部から端部へと向かう傾斜面を形成可能で、前記傾斜面の角度を変更可能なファン扉と、前記定着部よりも送風方向の下流に配置されて、前記ファンが送風する風を排気する排気開口部と、前記ファン及び前記ファン扉の駆動を制御するコントローラと、を備えることを特徴とする。
【０００７】
本発明の他の画像形成装置は、熱源を有する加熱ローラ、及び、前記加熱ローラに対して加圧する加圧ローラを有し、記録材の表面に現像剤を定着させる定着部と、前記定着部に対向するように前記加熱ローラのローラ軸方向の端部側に配置され、前記定着部に向かって送風するファンと、前記定着部と前記ファンとの間に配置され、前記ファンから送風された風を給気する吸気開口部と、前記ローラ軸方向で中央部から端部へと移動することで前記吸気開口部を縮小し、前記ローラ軸方向で端部から中央部へと移動することで前記吸気開口部を拡大する吸気シャッタと、前記定着部よりも送風方向の下流に配置されて、前記ファンが送風する風を排気する排気開口部と、前記ファン及び前記吸気シャッタの駆動を制御するコントローラと、を備えることを特徴とする。
【発明の効果】
【０００８】
本発明によれば、定着部における記録材の通紙がされない部位を効率的に冷却することができる
【図面の簡単な説明】
【０００９】
【図１】実施例１に係る画像形成装置の断面図である。
【図２】定着装置及び冷却機構の斜視図である。
【図３】支持筐体の斜視図である。
【図４】図３のフレーム部に排気シャッタ機構が取付けられた状態を示す斜視図である。
【図５】冷却機構の斜視図である。
【図６】冷却機構から上フレームを取り除いた斜視図である。
【図７】Ｂ５サイズの記録材Ｓが縦送りで定着装置に搬送された場合の冷却機構及び排気シャッタ機構の移動位置を示した平面図である。
【図８】Ａ４サイズの記録材Ｓが縦送りで定着装置に搬送された場合の冷却機構および排気シャッタ機構の移動位置を示した平面図である。
【図９】実施例２に係る定着装置と冷却機構の斜視図である。
【図１０】冷却機構の斜視図である。
【図１１】冷却機構を定着装置側から見た斜視図である。
【図１２】Ｂ５サイズの記録材が縦送りで定着装置に搬送された場合の吸気シャッタ及び排気シャッタの移動位置を示した図である。
【図１３】はＡ４サイズの記録材が縦送りで定着装置に搬送された場合の吸気シャッタおよび排気シャッタの移動位置を示した図である。
【発明を実施するための形態】
【００１０】
以下に図面を参照して、この発明の好適な実施例を例示的に詳しく説明する。但し、この実施例に記載されている構成部品の寸法、材質、形状、その相対配置等は、特に特定的な記載がない限りは、この発明の範囲をそれらのみに限定する趣旨のものではない。
【実施例１】
【００１１】
図１は、実施例１に係る画像形成装置１００の断面図である。図１に示されるように画像形成装置１００は装置本体１００Ａを有する。装置本体１００Ａの内部には補給容器１（トナーボトル）が配置される。補給容器１は、装置本体１００Ａの内部で長手方向が水平に沿う向きに設置されている。
【００１２】
補給容器１から排出される現像剤は、収容手段としてのホッパー２４（一時収容容器）に一旦収容された後、現像装置１１（現像手段）へ送り出される。現像装置１１に送り出された現像剤により、像担持体としての感光体ドラム６を有する画像形成部７にて現像剤像が形成される。
【００１３】
一方、給送部５から給送された記録材Ｓは、画像形成部７において形成された現像剤像が転写され、定着装置３０を通して現像剤像が定着され、排出トレイ９に排出される。画像形成部７は、装置本体１００Ａの内部で補給容器１に重ならないように配置される。操作部５０は、立面操作部として装置本体１００Ａの右側に配置される。また、コントローラ５１は、装置本体１００Ａの内部機器の駆動を制御する他、後述するファン６１及びファン扉６４、６５の駆動を制御する（図５参照）。
【００１４】
図２は、定着装置３０及び冷却機構６０の斜視図である。図２に示されるように、『定着部』としての定着装置３０は、熱源を有する加熱ローラ３２、及び、加熱ローラ３２に対して加圧する加圧ローラ３１を有し、記録材Ｓの表面にトナー（現像剤）を定着させる。加圧ローラ３１と加熱ローラ３２は、図示しない加圧機構により圧力が負荷された状態でニップを形成する。支持筐体３３は、加圧ローラ３１と加熱ローラ３２の周囲を囲みながら、それらを支持する。
【００１５】
冷却機構６０は、定着装置３０の加熱ローラ３２側の近傍に配置され、加熱ローラ３２の長手方向の両端部の各々にファン６１を有する。ファン６１は、定着装置３０に対向するように加熱ローラ３２のローラ軸方向Ｍの端部側に配置され、定着装置３０に向かって送風する。ファン６１は、加圧ローラ３１のローラ軸から加熱ローラ３２のローラ軸へと延長される延長面Ｑ上に配置される。
【００１６】
図３は、支持筐体３３の斜視図である。支持筐体３３は、フレーム部３４及び蓋部３５を有する。フレーム部３４の側板３４ａ、３４ａには、加圧ローラ３１と加熱ローラ３２を支持する切欠部３４ａ１が形成される。また、蓋部３５の両端部で切欠部３４ａ１の近傍に位置する部位には、加熱ローラ３２の両端部が定着装置３０の外に露出するように吸気開口部３８が形成される。さらに、フレーム部３４の両端部で吸気開口部３８と対向する部位には、加圧ローラ３１の両端部が定着装置３０の外に露出するように排気開口部３７が形成される。
【００１７】
図４は、図３のフレーム部３４に排気シャッタ機構３９が取付けられた状態を示す斜視図である。シャッタ４０、４１は、フレーム部３４の両端部に形成される排気開口部３７の位置をローラ軸方向Ｍに移動させる板部４０ａ、４１ａと、板部４０ａ、４１ａに取り付けられるラック部４０ｂ、４１ｂと、を有する。排気開口部３７は、定着装置３０よりも送風方向Ｎの下流に配置されて、ファン６１が送風する風を排気する。フレーム部３４の排気開口部３７は、一部がシャッタ４０、４１で閉じられて、実際には、シャッタ４０、４１で閉じられてない部位が排気開口部に相当する。
【００１８】
ラック部４０ｂ、４１ｂが互いにフレーム部３４の長手方向の中央部へ向かうように延びている。ラック部４０ｂとラック部４１ｂとに挟まれる形で、長手方向の中央部にピニオンギア４２が設けられる。ラック部４１ｂの上方にはステッピングモータ４３の軸に取り付けられたギア４３ａが配置されている。
【００１９】
コントローラ５１は、ステッピングモータ４３を駆動させる。そうすると、ギア４３ａが正方向又は負方向に回転して、ラック部４０ｂとラック部４１ｂとが水平方向に互いに逆方向に移動して、板部４０ａと板部４１ａとが排気開口部３７をローラ軸方向Ｍへ移動させる。このとき、シャッタ４０と４１は互いにフレーム部３４の長手方向に対して必ず逆向きに移動するため、シャッタ４０、４１に覆われずに露出する排気開口部３７の位置は、フレーム部３４の長手方向の中央部から必ず同じ距離の位置で開口することになる。
【００２０】
図５は、冷却機構６０の斜視図である。冷却機構６０は、上フレーム６２と下フレーム６３とを有する。下フレーム６３の長手方向の両端部には、定着装置３０の蓋部３５の両端部に設けられた吸気開口部３８へ向かって送風できるようにファン６１がそれぞれ設けられている。また、ファン６１の吸気側には、ファン扉６４、６５が配置される。
【００２１】
ファン扉６４、６５は、下フレーム６３と上フレーム６２に設けられた回動軸６４Ｙ、６５Ｙを回動中心として回動自在に支持される。ファン扉６４、６５は、ファン６１よりも送風方向Ｎの上流に配置され、送風方向Ｎの上流から下流に向かうに従ってローラ軸方向Ｍの中央部から端部へと向かう傾斜面６４Ｘ、６５Ｘを形成可能で、傾斜面６４Ｘ、６５Ｘの角度を変更可能に構成される（図７参照）。
【００２２】
図６は、冷却機構６０から上フレーム６２を取り除いた斜視図である。ファン扉６４、６５の上フレーム６２との接続部近傍にはギア形状部６４ａ、６５ａがそれぞれ設けられている。ギア形状部６４ａ、６５ａは、それぞれラック部材６６、６７に接している。ラック部材６６、６７はピニオンギア６８、ステッピングモータ６９と接している。これらは図示されていない上フレーム６２（図５参照）に支持されている。
【００２３】
こうした構成により、コントローラ５１がステッピングモータ６９を正方向又は負方向に回転させると、ラック部材６６、６７が互いに逆方向へと移動を開始して、ファン扉６４、６５も互いに逆回転となるように回動する。
【００２４】
図７は、Ｂ５サイズの記録材Ｓが縦送りで定着装置３０に搬送された場合の冷却機構６０（図５参照）及び排気シャッタ機構３９（図４参照）の移動位置を示した平面図である。図８は、Ａ４サイズの記録材Ｓが縦送りで定着装置３０に搬送された場合の冷却機構６０および排気シャッタ機構３９の移動位置を示した平面図である。
【００２５】
コントローラ５１が記録材Ｓのサイズを認識すると、冷却機構６０のステッピングモータ６９と、排気シャッタ機構３９のステッピングモータ４３と、をサイズ毎に決められた量だけ駆動させる。ここで、Ｂ５サイズとＡ４サイズの記録材Ｓが搬送されてきたときのファン扉６４、６５の動作を比べる。
【００２６】
幅の狭いＢ５サイズでは（図７参照）、冷却機構６０のステッピングモータ６９は、ファン扉６４、６５をファン６１と成す角度αが鈍角となるように移動させる。すなわち、コントローラ５１は、記録材Ｓのローラ軸方向Ｍのサイズが小さくなる程に、ローラ軸方向Ｍに対するファン扉６４、６５の角度が鈍角になるように、ファン扉６４、６５の駆動を制御する。
【００２７】
また、排気シャッタ機構３９のステッピングモータ４３は、シャッタ４０、４１をフレーム部３４の長手方向に対して中央側へ向けて移動させる。すなわち、コントローラ５１は、ローラ軸方向Ｍに対するファン扉６４、６５の角度が鈍角になるに従って、排気開口部３７をローラ軸方向Ｍの端部から中央部へと移動させる。
【００２８】
逆にＢ５サイズに比べて幅の広いＡ４サイズでは（図８参照）、冷却機構６０のステッピングモータ６９は、ファン扉６４、６５をファン６１と成す角度αが鋭角となるように移動させる。すなわち、コントローラ５１は、記録材Ｓのローラ軸方向Ｍのサイズが大きくなる程に、ローラ軸方向Ｍに対するファン扉６４、６５の角度が鋭角になるように、ファン扉６４、６５の駆動を制御する。
【００２９】
また、排気シャッタ機構３９のステッピングモータ４３は、シャッタ４０、４１をフレーム部３４の長手方向に対して両端部側へ向けて移動させる。すなわち、コントローラ５１は、ローラ軸方向Ｍに対するファン扉６４、６５の角度が鋭角になるに従って、排気開口部３７をローラ軸方向Ｍの中央部から端部へと移動させる。
【００３０】
ところで、ファン６１とファン扉６４または６５の成す角度αが鈍角から鋭角まで可変することにより、ファン６１の排気方向に変化が生じる。角度αが鈍角である場合（図７参照）、ファン６１の排気方向はファン扉６４、６５の影響を受けることなくファン６１の排気口に対して垂直となる。しかし、角度αが鋭角になればなるほど（図８参照）、ファン６１の排気方向はファン扉６４、６５の影響を受け、ファン６１の排気口に対してファン扉６４、６５の板面と略平行な方向へ傾いていくことが分かっている。
【００３１】
これは、ファン６１とファン扉６４、６５の成す角度αが鈍角である場合、以下のようになることによる。すなわち、ファン扉６４、６５の回動中心近傍ではファン６１とファン扉６４、６５の隙間が狭いためにファン６１が十分な吸気が行えない。この一方で、ファン扉６４、６５の回動中心とは反対に位置する辺近傍では十分な吸気が行える。このことで、ファン６１の吸気に差が生じる。
【００３２】
このとき、ファン６１は十分に吸気を行えた空気をフィンが回転しながら排気開口部３７へと導くが、フィンが１周するより早く吸気した空気が排気開口部３７へ到達してしまう。このため、ファン６１は空気を十分に吸気した位置とはファン６１の回転中心とは逆の位置へ排気する状態となる。つまり、ファン扉６４、６５の回動中心側へ傾いて空気を送り出すことになる。
【００３３】
この特性を利用して、記録材Ｓの幅が狭い場合は（図７参照）、ファン扉６４、６５とファン６１の成す角度が鈍角となることでファン６１の吸気角度に影響を与えず、ファン６１の送風はファン６１の排気口から垂直に放出される。放出された送風は加熱ローラの非通紙部領域を通過し、加圧ローラの奥に開口している排気開口部３７へと向かい、定着装置３０の外へと放出される。このとき、ファン６１より放出された風は、加熱ローラ３２に略垂直に送られ、加熱ローラ３２を通過後も排気開口部３７へ向けて略垂直方向を維持したまま定着装置９０の外へ放出される。
【００３４】
逆に記録材Ｓの幅が広い場合は（図８参照）、ファン扉６４、６５とファン６１の成す角度が鋭角となることでファン６１の吸気方向に影響を与え、ファン６１の送風はファン６１の排気口から加熱ローラ３２の両端部方向へ向かって傾いて放出される。このとき放出された風は、加熱ローラ３２の端部に向かって斜めに傾いて送られ、加熱ローラ３２を通過後も排気開口部３７が加熱ローラ３２の両端部よりも外側へ位置しているため、斜めに傾いた状態を維持したまま定着装置３０の外へ放出される。
【００３５】
このように構成することで、記録材Ｓの幅が狭く加熱ローラ３２の非通紙部領域が広くなる場合でも、記録材Ｓの幅が広く加熱ローラ３２の非通紙部領域が狭くなる場合でも、効率よく非通紙部領域のみを冷却することが可能となる。つまり、定着装置３０における記録材Ｓの通紙がされない部位を効率的に冷却することができる。
【実施例２】
【００３６】
図９は、実施例２に係る定着装置９０と冷却機構１２０の斜視図である。実施例２では、実施例１の冷却機構６０に替えて冷却機構１２０を用いている点が異なる。実施例２中で実施例１と同一符号の付されている部位は、実施例１と同一の構成であるので同一符号を付し、説明が援用されるものとして説明を省略する。なお、実施例２でも実施例１にて図３及び図４を参照しつつ説明した構成は同様である。
【００３７】
定着装置９０は、搬送された記録材Ｓ上のトナーを圧力と熱により記録材Ｓに定着させるために加圧ローラ３１と加熱ローラ３２がお互いに水平に配置され、図示しない加圧機構により圧力がかけられた状態でニップを形成している。そして、支持筺体３３が加圧ローラ３１と加熱ローラ３２の周囲を囲みながら支持している。
【００３８】
また、冷却機構１２０は定着装置３０の加熱ローラ３２側近傍に定着装置３０と水平に配置されており、加熱ローラ３２の長手方向の両端部にそれぞれファン６１を備えている。ファン６１は、加圧ローラ３１のローラ軸から加熱ローラ３２のローラ軸へと延長される延長面Ｑ上に配置される。
【００３９】
図１０は、冷却機構１２０の斜視図である。冷却機構１２０はフレーム１２１を有する。フレーム１２１の長手方向の両端部には、定着装置９０の蓋部９３の両端部に設けられた支持筐体３３の吸気開口部３８（図３参照）へ向かって送風できるようにファン６１がそれぞれ設けられている。
【００４０】
図１１は、冷却機構１２０を定着装置９０側から見た斜視図である。ファン６１からの送風を冷却機構１２０から定着装置９０外へ送るための吸気開口部１２２が冷却機構１２０の長手方向の両端部に設けられている。吸気開口部１２２は、定着装置９０とファン６１との間に配置され、ファン６１から送風された風を給気することになる。また、この吸気開口部１２２を覆うことが可能な吸気シャッタ１２３、１２４が吸気開口部１２２の近傍に備えつけられている。
【００４１】
吸気シャッタ１２３、１２４は、吸気開口部１２２を覆うためのシャッタ部１２３ａ、１２４ａと、冷却機構１２０の長手方向に移動するための駆動力を受けるラック部１２３ｂ、１２４ｂと、を有する。吸気シャッタ１２３、１２４のラック部１２３ｂ、１２４ｂは、互いに中央へ向かって延びる。ラック部１２３ｂ、１２４ｂに挟まる形でピニオンギア１２５が配置される。ラック部１２４ｂの上方に、駆動力を発生させるためのステッピングモータ１２６のギア１２６ａが設けられている。
【００４２】
コントローラ５１より信号が発せられると、ステッピングモータ１２６が正方向又は負方向に回転を開始し、吸気シャッタ１２３、１２４をそれぞれ可変させる。すなわち、吸気シャッタ１２３、１２４は、ローラ軸方向Ｍで中央部から端部へと移動することで吸気開口部１２２を縮小し、ローラ軸方向Ｍで端部から中央部へと移動することで吸気開口部１２２を拡大する。
【００４３】
このとき、吸気シャッタ１２３と吸気シャッタ１２４は互いに冷却機構１２０の長手方向に対して必ず逆向きに移動するため、吸気シャッタ１２３と吸気シャッタ１２４の位置は、冷却機構１２０の長手方向の中央部から必ず同じ距離の位置に移動することになる。
【００４４】
図１２は、Ｂ５サイズの記録材Ｓが縦送りで定着装置９０に搬送された場合の吸気シャッタ１２３、１２４及び排気シャッタ４０、４１の移動位置を示した図である。さらに図１３はＡ４サイズの記録材Ｓが縦送りで定着装置９０に搬送された場合の吸気シャッタ１２３、１２４および排気シャッタ４０、４１の移動位置を示した図である。
【００４５】
コントローラ５１が記録材Ｓのサイズを認識すると、冷却機構１２０のステッピングモータ１２６と排気シャッタ機構３９のステッピングモータ１０１をサイズ毎に決められた量だけ駆動させる。Ｂ５サイズとＡ４サイズを比べる。
【００４６】
幅の狭いＢ５サイズでは（図１２参照）冷却機構１２０のステッピングモータ１２６は吸気シャッタ１２３、１２４を開口部の幅が広がるように冷却機構１２０の長手方向中央側へ移動させる。すなわち、コントローラ５１は、記録材Ｓのローラ軸方向Ｍのサイズが小さくなる程に、吸気シャッタ１２３、１２４がローラ軸方向Ｍの端部から中央部へと移動するように、吸気シャッタ１２３、１２４の駆動を制御する。
【００４７】
そして、排気シャッタ機構３９のステッピングモータ１０１は排気シャッタ４０、４１をフレーム部９２の長手方向に対して中央側へ向けて移動させる。すなわち、コントローラ５１は、吸気シャッタ１２３、１２４がローラ軸方向Ｍの端部から中央部へと移動するに従って、排気開口部３７をローラ軸方向Ｍの端部から中央部へと移動させる。なお、排気開口部３７は、吸気開口部１２２の最小の開口量と略同じ開口量である。
【００４８】
逆にＢ５サイズに比べて幅の広いＡ４サイズでは（図１３参照）冷却機構１２０のステッピングモータ１２６は吸気シャッタ１２３、１２４を開口部の幅が狭まるように冷却機構１２０の長手方向の両端部側へ移動させる。すなわち、コントローラ５１は、記録材Ｓのローラ軸方向Ｍのサイズが大きくなる程に、吸気シャッタ１２３、１２４がローラ軸方向Ｍの中央部から端部へと移動するように、吸気シャッタ１２３、１２４の駆動を制御する。
【００４９】
そして、排気シャッタ機構３９のステッピングモータ１０１は排気シャッタ４０、４１をフレーム部９２の長手方向に対して両端部側へ向けて移動させる。すなわち、コントローラ５１は、吸気シャッタ１２３、１２４がローラ軸方向Ｍの中央部から端部へと移動するに従って、排気開口部３７をローラ軸方向Ｍの中央部から端部へと移動させる。
【００５０】
記録材Ｓの幅が狭い場合は、吸気シャッタ１２３、１２４が開口部の幅を広げるように移動することで、ファン６１の送風はファン６１の排気口から垂直に放出される。放出された送風は加熱ローラ３２の非通紙部領域を通過し、加圧ローラ３１の奥に開口している排気開口部３７へと向かい、定着装置９０の外へと放出される。このとき、ファン６１より放出された風は、加熱ローラ３２に略垂直に送られ、加熱ローラ３２を通過後も排気開口部９６へ向けて略垂直方向を維持したまま定着装置９０の外へ放出される。
【００５１】
逆に記録材Ｓの幅が広い場合は、吸気シャッタ１２３、１２４が開口部の幅を狭めるように移動するため、ファン６１の送風はファン６１の排気口から加熱ローラ３２の両端部方向へ向かって傾いて放出される。このとき放出された風は、加熱ローラ３２の端部に向かって斜めに傾いて送られ、加熱ローラ３２を通過後も排気開口部９６が加熱ローラ３２の両端部よりも外側へ位置しているため、斜めに傾いた状態を維持したまま定着装置９０の外へ放出される。
【００５２】
このように構成することで、記録材Ｓの幅が狭く加熱ローラ３２の非通紙部領域が広くなる場合でも、記録材Ｓの幅が広く加熱ローラ３２の非通紙部領域が狭くなる場合でも、効率よく非通紙部領域のみを冷却することが可能となる。つまり、定着装置９０における記録材Ｓの通紙がされない部位を効率的に冷却することができる。
【００５３】
なお、前述の実施例は、マルチファンクションプリンタに対して本発明を適用したものであるが、シングルファンクションプリンタ等の他の画像形成装置、または他の用途目的の装置に対しても本発明は同様に適用することができる。
【符号の説明】
【００５４】
３０    定着装置（定着部）
３１    加圧ローラ
３２    加熱ローラ
３７    排気開口部
５１    コントローラ
６１    ファン
６４、６５  ファン扉
６４Ｘ、６５Ｘ  傾斜面
１００  画像形成装置
Ｍ      ローラ軸方向
Ｎ      送風方向
Ｓ      記録材
【図１】
2016004162.tif 000003
【図２】
2016004162.tif 000004
【図３】
2016004162.tif 000005
【図４】
2016004162.tif 000006
【図５】
2016004162.tif 000007
【図６】
2016004162.tif 000008
【図７】
2016004162.tif 000009
【図８】
2016004162.tif 000010
【図９】
2016004162.tif 000011
【図１０】
2016004162.tif 000012
【図１１】
2016004162.tif 000013
【図１２】
2016004162.tif 000014
【図１３】
2016004162.tif 000015